(57)【要約】【課題】橋桁や床版等を傷つけることなく、コンクリートの塗装や塗料の吹き付け等作業箇所が部材で覆われて妨げられることなく、チェーンやワイヤー等で吊り下げる必要がないので、作業員の通行が妨げられないつり足場を提供する。【解決手段】縦枠２１の上端に上方横枠２４を、下端に下方横枠２２を設け、上方横枠２４の先端に垂下枠２５を設け、垂下枠２５の下端に、アンカー３５の挿入孔を設けた座金２８を縦枠２１方向に向けて設け、下方横枠２２の先端に立上がり枠２３を設け、立上がり枠２３の先端に水平の壁当て材２６を取付けて、メインフレーム２０を構成し、複数のメインフレーム２０を同方向にして間隔をおいて横に並べ、それぞれの縦枠２１間および垂下枠２５間に水平または斜めの棒体を取付けて連結固定し、それぞれの下方横枠２４上に足場板３４を横架してつり足場を構成する。【選択図】        図１
2004232366.tif 000002
【特許請求の範囲】
【請求項１】
縦枠の上端部に直角に上方横枠と、下端部に前記上方横枠と同方向で直角に下方横枠を設け、前記上方横枠の先端部に直角に垂下枠を設け、その垂下枠の下端にアンカーを挿入しうる孔を設けた座金を前記縦枠方向に向けて取付け、前記下方横枠の先端部に直角に立ち上がり枠を設け、その立ち上がり枠の上端部に、直角に、かつ、前記下方横枠の先端延長方向に、先端に座金を有する壁当て材を取付けて、メインフレームを形成し、
前記メインフレームの複数を、同方向に、かつ、平行にして、横に並べ、それぞれ縦枠間およびそれぞれの垂下枠間に、水平および／または斜めの棒体を取り付けて前記複数のメインフレームを連結固定し、それぞれの下方横枠上に足場板を横架載置固定してなり、
高架等の高欄を前記縦枠と垂下枠間に入れ、前記垂下枠の座金を前記高欄の内面に当接させ、座金の孔から、予め高欄に設けた孔にアンカーを挿入し、ボルトを締めて座金を高欄に固定し、前記壁当て材の先端を前記高架の橋桁または梁の垂直面に当接させて固定するつり足場。
【請求項２】
連結した複数のメインフレームの上方横枠上に、蓋を有する作業員の昇降のための開口を設けた足場を取付けたことを特徴とする請求項１に記載のつり足場。
【請求項３】
連結した複数のメインフレームの縦枠の中間に、蓋を有する作業員の昇降のための開口を設けた中間足場を設けたことを特徴とする請求項１または２に記載のつり足場。
【請求項４】
メインフレームの縦枠および／または垂下枠を複数に分割して着脱自在に係止可能とし、分割部分を他の規格の部分に取り替え可能としたことを特徴とする請求項１乃至３のいずれかに記載のつり足場。
【発明の詳細な説明】
【０００１】
【発明の属する技術分野】
この発明は、道路、鉄道等の高架橋、河川用の橋やマンションのベランダ等の作業用のつり足場に関するものである。
【０００２】
【従来の技術】
従来、高架橋等の作業のために、地上から足場を組むと、桁下の交通を阻害するので、つり足場が使用されている。
そのつり足場としては、パネルにロープを取付け、高架橋の床版等の上に吊り揚げ装置を設置して、ロープでハネルを吊り揚げる構造のものが多く使用されている（例えば特許文献１の図１および図２のように）。
【０００３】
ところが、上記つり足場の使用には、吊り揚げ装置を必要とし、コストが係る上に、足場であるパネルが、風や作業員の移行で揺れて、安定した作業に支障がある。そこで、図３に示すようなつり足場４が、平成１４年１月末〜３月末に京阪電気鉄道の守口駅付近の高架補強工事で使用された。
【０００４】
図３中、１は橋桁、２は床版、３は高欄である。
つり足場４は、複数の鋼管を間隔を置いて縦に並べて縦枠５とし、縦枠５の上下および中間に複数の繋ぎ材６を平行にして水平に縦枠５に固定し、各縦枠５の上部において、縦枠５に直角に上方横枠７を設け、上方横枠７の先端部に、高欄３の先端を挟持するための、間隔をおいて２本の縦のパイプ８、８または２本の棒体よりなる挟持部を形成し、各縦枠５の下端部において、下方横枠９を設け、その先端に繋ぎ材６を水平に固定し、それぞれの下方横枠の先端に立ち上がる立上がり枠１０を取付けている。また、縦枠５の中間および立上がり枠１０の先端に水平に手摺りパイプ６ａを取付けている。
【０００５】
このつり足場４は次のように使用する。
すなわち、挟持部のパイプ８、８で高欄３の上縁部を挟み、床版２の下面または橋桁１に挿入固定したリング付きアンカー１１にチェーン１２、１２またはワイヤーの一端を取付け、他端を下方横枠９の両端または縦枠５と立上がり枠１０の下端部に固定して、チェーン１２で下方横枠９または縦枠５と立上がり枠１０を吊り、側面コの字形で、コの字の一方の解放縁に鉤部１３を設けた高欄吊り金具１４を、鉤部１３を高欄３の外面側にして、高欄３の先端をコの字内に入れて高欄３の先端に被せ、鉤部１３にチェーン１２の一端を係止し、他端を縦枠５の下端部または下方横枠９の一端に係止し、チェーン１２で縦枠５または下方横枠９を吊る。
縦枠５の下端部および立上がり枠１０の下端部に設けた繋ぎ材６、６に複数のパイプ１５を横架し、その上に板、鉄板、その他ポード等の足場板１６を敷き、作業員の歩行を可能にしている。  １７は補助ブラケット１８により支持された中間足場であり、１９は噴霧塗装剤の拡散を防止したり、作業部品等の落下を防止するためのメッシュシートである。
【０００６】
【特許文献１】
特開平１１−２９３６２８号公報（図１および図２）
【０００７】
【発明が解決しようとする課題】
上記吊り足場４は、橋桁１または床版２に孔をあけてリング付きアンカー１１をとりつけるので、高架では非常に重要な橋桁１または床版２を傷つけ弱化させるおそれがある。
また、高欄吊り金具１４を高欄２の先端縁部に被せるので、高欄２にコンクリート塗装や塗料の噴霧をする等の作業では、高欄吊り金具１４で覆われた部分は上記作業ができないから、高欄吊り金具１４の周囲の作業が終わってから、高欄吊り金具１４の位置をずらして、元の位置のコンクリート塗装や塗料の噴霧作業を行なわなければならず、作業効率が悪い。
更に、高欄吊り金具１４の鉤部１３と縦枠５の下端部または下方横枠９の端部にチェーン１２またはワイヤーを張っているので、それが作業員の通行の邪魔になる。
【０００８】
この発明は、上記吊り足場を改良し、橋桁１または床版２等に孔をあけてアンカーを挿入しないので、橋桁１または床版２等を傷つけ弱化させることなく、高欄２の先端縁部に高欄吊り金具１４を被せないので、コンクリート塗装や塗料の噴霧作業等が妨げられることがなく、チェーンまたはワイヤーで吊り下げる必要がないので、作業員の通行が妨げられることのない、つり足場を提供することを目的とする。
【０００９】
【課題を解決するための手段】
縦枠の上端部に直角に上方横枠と、下端部に前記上方横枠と同方向で直角に下方横枠を設け、前記上方横枠の先端部に直角に垂下枠を設け、その垂下枠の下端にアンカーを挿入しうる孔を設けた座金を前記縦枠方向に向けて取付け、前記下方横枠の先端部に直角に立ち上がり枠を設け、その立ち上がり枠の上端部に、直角に、かつ、前記下方横枠の先端延長方向に、先端に座金を有する壁当て材を取付けて、メインフレームを形成し、
前記メインフレームの複数を、同方向に、かつ、平行にして、横に並べ、それぞれ縦枠間およびそれぞれの垂下枠間に、水平および／または斜めの棒体を取り付けて前記複数のメインフレームを連結固定し、それぞれの下方横枠上に足場板を横架載置固定してつり足場を構成し、
高架等の高欄を前記縦枠と垂下枠間に入れ、前記垂下枠の座金を前記高欄の内面に当接させ、座金の孔から、予め高欄に設けた孔にアンカーを挿入し、ボルトを締めて座金を高欄に固定し、前記壁当て材の先端を前記高架の橋桁または梁の垂直面に当接させてつり足場を固定する。
【００１０】
前記つり足場の連結した複数のメインフレームの上方横枠上に、蓋を有する開口を設けた足場を取付け、その開口で作業員が昇降することを可能とする。
【００１１】
前記つり足場の連結した複数のメインフレームの縦枠の中間に、蓋を有する開口を設けた中間足場を設け、その開口で作業員が昇降することを可能とする。
【００１２】
前記つり足場のメインフレームの縦枠および／または垂下枠を複数に分割して着脱自在に係止可能とし、分割部分を他の規格の部分に取り替え可能とする。
【００１３】
【発明の実施の形態】
この発明の実施の形態を図面により説明する。
メインフレーム２０は、縦枠２１の下端部に直角に下方横枠２２を設け、横枠２２の先端部に垂直の立上がり枠２３を設け、縦枠２１の先端部に直角に上方横枠２４を設け、その上方横枠２４の先端部に直角に垂下枠２５を設け、更に、立上がり枠２３の上端部に直角に、パイプまたは棒で、その先端に座金２７を設けた、壁当て材２６を設けてなる。
垂下枠２５の先端には、縦枠２１方向に垂直に座金２８を設け、座金２８にアンカー用の孔を設ける。
縦枠２１、下方横枠２２、立上がり枠２３、上方横枠２４、垂下枠２５、壁当て材２６は、互いに溶接またはボルト等で固定する。
【００１４】
メインフレーム２０は、限定しないが、鋼管製の角パイプが好ましい。
鋼管の径は、限定しないが、作業員の体重や使用する道具の重量等を勘案して径１０ｃｍ位のものが好ましい。
【００１５】
複数のメインフレーム２０を同方向にして、横に間隔をおいて平行に並べ、縦枠２１に水平繋ぎ材２９を横架し、溶接またはボルト等で固定し、更に、補強のために、縦枠２１間に斜材３０を取り付ける。
また、各立上がり材２３間には、転落防止および補強のため、水平の手摺り材３１を取付ける。
【００１６】
下方横枠２２と上方横枠の間隔は、作業員が通過し易い間隔とする。作業する高架等の高欄３の高さが大きい場合には、上記間隔を大きくして、各縦枠２１の中間にブラケット３２を設け、それで足場板３３を支持して中間足場を構成する。中間足場の上下空間を作業員が通行し易い高さとする。
【００１７】
複数の下方横枠２２の上方に足場板３４を載置する。
足場板３４は、メインフレーム２０を後述の方法で高架等に固定した後に載置し、着脱自在に固定するのが好ましい。
【００１８】
上記構成のつり足場は次のように高架等に取り付ける。
先ず、クレーンで吊り足場を持ち上げて、縦枠２１を高欄３の外方にし、垂下枠２５を高欄３の内方向にして降ろし、上方横桟２４と高欄３の先端面との間に間隔をおいて座金２８を高欄３の内面に当接させ、アンカー３５を座金２８の孔から予め高欄３に穿設した孔から挿入してボルトを締めて固定する。
次いで、壁当て材２６の先端の座金２６を橋桁１または梁等の垂直面に当接させる。
この場合に、縦枠２１が垂直状態にすると、座金２７と橋桁１または梁との間に隙間がある場合には、板または木片等を嵌めて、座金２７に設けた孔からねじ釘等で座金２７と木片等を固定する。
上記の状態で、つり足場の自重が壁当て材２６で橋桁１または梁を強く押し、揺れを防止し、また、アンカー３５の固定と相挨って、つり足場は固定安定し、作業員が足場へ登って作業しても安全である。
【００１９】
足場板３４の幅は、吊り足場を取付けた時に床版２の下方まであり、床版２との間隔は、作業員がかがんで入れる間隔であることが好ましく、かつ、壁当て材２６は座金２７が橋桁１または梁に当接する長さである必要がある。そのために、メインフレーム２０の大きさ、特に、縦枠２１、下方横枠２２および壁当て材２６の長さが適合したものを用いる必要がある。
そのために、各縦枠２１を上下２分割またはそれ以上に分割し、ボルト締めその他の方法で着脱自在に繋ぐことができるようにし、下方横枠および壁当て材の長さが適合したものを選択取り替えできるようにするのが好ましい。
図中３６は係合部材である。
なお、この分割は、上記の選択の外に、つり足場を分割して移送、保管するのに便利である。
【００２０】
垂下枠２５も２分割して、着脱自在にできるようにすれば、高欄３等の高さに適合したものを選択して使用でき、また、メインフレーム２０の作業場への移動および作業場からの撤去に便利である。
【００２１】
縦枠２１に中間足場を設けた場合には、足場板３３に作業員が通過できる昇降用開口を設け、足場板３３の一部を回動して開閉できる蓋３７とし、蓋３７を回動させて昇降用開口を開け、梯子３８を用いて昇降する。
【００２２】
このつり足場の固定の状態での作業が終わると、次の位置へつり足場を移動する必要がある。
その場合には、上方横枠２４と高欄３の上面との間に、小さい台車を入れ、ボルトを取り除いてアンカー３５を抜き取り、メインフレーム２０を押して隣の場所に移行させ、再びアンカー３５で座金２８を固定し、壁当て材２６の座金２７で橋桁１または梁等を押す。
【００２３】
座金２８を高欄３の内面に当接してアンカー３５で固定する作業のために、作業員は、床版２上に登る必要があるが、作業員は、つり足場以外の昇降通路を通って登ってもよいが、つり足場から床版２に下りるようにするのが好ましい。
そのために、各メインフレーム２０の上方横枠２４で足場板３９を支え、各メインフレーム２０の上方横枠２４の両端に手摺り支柱４０、４１を立設し、各手摺り支柱４０間および４１間に水平の手摺り材４２を取り付ける。そして、足場板３９には、作業員が通過できる昇降用開口を設け、足場板３９の一部を回動して開閉できる蓋４３とし、蓋４３を回動させて昇降用開口を開け、梯子３８を用いて昇降する。  また、床版２上への昇降は、梯子を用いて昇降する。
【００２４】
図示省略したが、メインフレーム２０の縦枠２１や水平繋ぎ枠２９等に紐等でメッシュシートを係止して張る。
【００２５】
【発明の効果】
この発明は、橋桁、梁、床版等に孔をあけてアンカーを挿入しないので、橋桁等を傷つけ弱化させることがない。
高欄等の先端縁部に高欄吊り金具を被せないので、コンクリート塗装、塗料の噴霧、タイルの貼装等の作業が妨げられることがない。
チェーンまたはワイヤーを張る必要がないので、作業員の歩行が妨げられることのない。
高欄や橋桁等の大きさ、形状等の変化に適応できる。
取付け固定が短時間で容易にできる。
作業を容易にでき、作業コストを低くすることができる。
【図面の簡単な説明】
【図１】吊り足場の側面図である。
【図２】吊り足場の正面図である。
【図３】従来の吊り足場の側面図である。
【符号の説明】
１  橋桁
２  床版
３  高欄
４  つり足場
５  縦枠
６  繋ぎ材
６ａ  手摺りパイプ
７  上方横枠
８  パイプ
９  下方横枠
１０  立上がり枠
１１  リング付きアンカー
１２  チェーン
１３  鉤部
１４  高欄吊り金具
１５  パイプ
１６  足場板
１７  中間足場
１８  ブラケット
１９  メッシュシート
２０  メインフレーム
２１  縦枠
２２  下方横枠
２３  立上がり枠
２４  上方横枠
２５  垂下枠
２６  壁当て材
２７  座金
２８  座金
２９  水平繋ぎ材
３０  斜材
３１  手摺り材
３２  ブラケット
３３  足場板
３４  足場板
３５  アンカー
３６  係合部材
３７  蓋
３８  梯子
３９  足場板
４０  手摺り支柱
４１  手摺り支柱
４２  手摺り材
４３  蓋
【図１】
2004232366.tif 000003
【図２】
2004232366.tif 000004
【図３】
2004232366.tif 000005